(57)【要約】【課題】シートの折畳み操作を阻害せずかつ着座位置でバックルが座席側方に常に配置されるようなシートベルトバックル支持構造を提供する。【解決手段】シートバック３をシートクッション２上に倒伏させる操作に連動して前下方へ折畳み可能な車両用折畳みシート１のシートベルトバックル１１の支持構造であって、シートクッション２がその後部を上下に貫通するスリット２０を有し、バックル１１がスリット２０に挿通されたウェビング１３を介してアンカー１２に連結された構造において、バックル１１の基部１１ｃからウェビング１３にかけて略筒状のブーツ１４が装着され、スリット２０がバックル１１およびブーツ１４を挿通可能である一方、ウェビング１３のアンカー１２との連結部またはその近傍にブーツ非存在区間１４ａが設定されている。【選択図】図２
2010023651.tif 000002
【特許請求の範囲】
【請求項１】
シートバックをシートクッション上に倒伏させる操作に連動して前下方へ折畳み可能であるとともに、車体側の構造材に揺動可能に連結されたシートベルト用バックルを備え、前記シートクッションの後部に、前記バックルを挿通させるスリットを有する車両用折畳みシートにおいて、
前記スリットが、前記シートクッションの後側に貫通して設けられ、かつ、前記スリットの両側部が、前記バックルの挿通位置より後方で、可撓性または柔軟性を有する連結部材で連結されていることを特徴とする車両用折畳みシート。
【請求項２】
前記連結部材が、前記スリット内に配設されていることを特徴とする請求項１に記載の車両用折畳みシート。
【請求項３】
前記連結部材が、前記シートクッションの厚さ方向に配向されたシート材で構成され、該シート材の両側が前記スリットの両側部に縫着されるとともに、該シート材がその下縁から上方に延びる切込み部または切欠部を有することを特徴とする請求項２に記載の車両用折畳みシート。
【請求項４】
前記シート材が、前記シートクッションの表皮材と同素材で構成されていることを特徴とする請求項３に記載の車両用折畳みシート。
【発明の詳細な説明】
【技術分野】
【０００１】
本発明は、シートバックをシートクッション上に倒伏させる操作に連動して前下方へ折畳み可能な車両用折畳みシートに関し、さらに詳しくは、シートの折畳み操作に連繋してシートベルト用バックルを退避させる構造に係わるものである。
【背景技術】
【０００２】
自動車の各座席にはシートベルトの設置が義務付けられているが、可動範囲が限られた前座席や固定式の後部座席に対し、車体フロアとシートクッションとの位置関係が変化する折畳み式の後部座席では、シートの折畳み操作を阻害しないようにシートベルトバックルを退避させるとともに、着座位置では、シートベルトバックルが座席側方に常に配置されるような構造がさらに必要となる。
【０００３】
例えば、特許文献１には、シートバックをシートクッション上に倒伏させる操作に連動してシートクッションが前下方に沈み込む車両用折畳みシートにおいて、シートベルトバックルを、回転アームを介して車体側に回動可能に設ける一方、該シートベルトバックルを係留するためのストラップをシートクッションの側面部に設け、シートクッションの移動に連繋してシートベルトバックルが着座面から退避されるようにすることが開示されている。
【０００４】
しかし、この構成では、シートクッションの側面にストラップが露見し、シート側部の外観が煩雑になるうえ、シートの折畳み操作に伴いストラップが引張されると、シートクッション側部にシワが発生する問題があり、縫着部への応力の繰返し入力による負担が大きく、破れなどが発生する虞があった。さらに、バックルとストラップとの寸法差が緊密であれば取付け時の作業性が悪化し、逆に、寸法差が大き過ぎるとバックルがストラップから抜脱することになる等の問題がある。
【０００５】
【特許文献１】特開２００５−１７８７０１号公報
【発明の開示】
【発明が解決しようとする課題】
【０００６】
本発明は従来技術のこのような実状に鑑みてなされたものであって、その目的は、シートの折畳み操作を阻害せずにシートベルト用バックルを退避可能でありかつシート外観を良好に維持できる車両用折畳みシートを提供することにある。
【課題を解決するための手段】
【０００７】
上記従来技術の有する課題を解決するために、本発明は、シートバックをシートクッション上に倒伏させる操作に連動して前下方へ折畳み可能であるとともに、車体側の構造材に揺動可能に連結されたシートベルト用バックルを備え、前記シートクッションの後部に、前記バックルを挿通させるスリットを有する車両用折畳みシートにおいて、前記スリットが、前記シートクッションの後側に貫通して設けられ、かつ、前記スリットの両側部が、前記バックルの挿通位置より後方で、可撓性または柔軟性を有する連結部材で連結されていることを特徴とする。
【０００８】
本発明の好適な態様では、前記連結部材が、前記スリット内に配設されている。また、前記連結部材が、前記シートクッションの厚さ方向に配向されたシート材で構成され、該シート材の両側が前記スリットの両側部に縫着されるとともに、該シート材がその下縁から上方に延びる切込み部または切欠部を有する。さらに、前記シート材が、前記シートクッションの表皮材と同素材からなる縫製部品で構成されている。
【発明の効果】
【０００９】
本発明は、上述の通り構成されているので、シートバックを倒伏させる操作に連動したシートクッションの前下方への移動に伴い、スリットに挿通されたバックルが、連結部材で係止されて前方に倒れ、スリット内に横倒し状態で格納されることで、バックルを着座面から確実に退避させることができ、バックルとシートバックとの当接およびそれに伴うバックル痕を防止できる。
【００１０】
スリットおよび連結部材はシートクッションの後部に設けられ、シートクッションの側部にはバックルの支持部材が存在しないので、シートクッションの側部に簡潔な外観が得られるとともに、左右座席が実質的に隙間無く隣接した分割式の折畳みシートや左右座席が一体となったベンチシートタイプの折畳みシートにも実施可能である。
【００１１】
また、スリット自体はシートクッションの後側に貫通しているので、スリット周辺のクッション材を被覆する表皮材の縫製作業を比較的容易に行うことができる。さらに、クッション材の弾褥性を利用したバックルに対する柔支持が可能となり、スリットとバックルとの間の寸法公差を厳密に管理する必要がない。このような製造上の利点を維持しながらも、連結部材により、バックルのスリットからの抜脱を確実に防止でき、かつ、スリット内での柔支持構造により、連結部材の縫着部等への繰返し応力の負荷が抑制され、連結部材や表皮材の破損を防止できる。
【００１２】
本発明において、前記連結部材が、前記スリット内に配設されている態様では、シートクッションにより連結部材がスリット内に隠れ、シートクッションの外観を損なうことなくバックルの支持が可能となる。
【００１３】
また、前記連結部材が、前記シートクッションの厚さ方向に配向されたシート材で構成され、該シート材の両側が前記スリットの両側部に縫着されるとともに、該シート材がその下縁から上方に延びる切込み部または切欠部を有する態様では、折畳み操作に伴うスリット内でのバックルの移動を許容すべく、連結部材（シート材）の中間部におけるシートクッション厚さ方向の寸法を増加させずに、シート材の両側では、縫着部を上下方向に長く設定でき、連結部材の縫着強度に優れるとともに、連結部材がバックルに押し付けられる際の縫着部への応力が集中を緩和できる。
【００１４】
さらに、前記シート材が、前記シートクッションの表皮材と同素材で構成されている態様では、折畳み操作中にシート材（連結部材）が露見しても、シートクッション表皮と一体感のある外観が維持されることに加えて、シート表皮材の縫製工程で同時に縫着でき、製造コスト面で有利である。
【発明を実施するための最良の形態】
【００１５】
以下、本発明の実施の形態について、図面を参照しながら詳細に説明する。
図１は、本発明に係わるシートベルトバックル支持構造を実施した折畳みシート１の概要を示す斜視図、図３はその着座位置を示す側面図、図４は折畳み操作を示す側面図である。折畳みシート１は、図１および図３に示すように、シートクッション２、シートバック３、左右一対のリアレッグ４およびフロントレッグ５から主に構成されている。図示例の折畳みシート１は、車体フロア側に固定される左右一対の固定スライドレール６１、該各固定スライドレール６１に摺動可能に支持された左右一対の可動スライドレール６２からなるスライド機構６を介して車体フロアに設置され、該スライド機構６により前後方向の位置を調節可能となっている。
【００１６】
シートクッション２は、図示しないクッションフレームの上側にウレタンフォームなどのクッション材で構成されたクッションパッドを重ね、その表面を表皮材で被覆してなり、シートバック３は、図示しないバックフレームの前側に前記同様のクッション材で構成されたクッションパッドを重ね、その表面を表皮材で被覆してなるものである。
【００１７】
リアレッグ４は、左右一対の可動スライドレール６２の後部に立設され、その上端部の回動軸３１においてシートバック３の下端部が回動可能に支持されている。一方、フロントレッグ５は、可動スライドレール６２の前部に立設されたブラケットの回動軸５２にて回動可能に支持され、該フロントレッグ５の上端部には、シートクッション２の前下部（図示しないクッションフレームの前部）が回動可能に支持されている。シートクッション２の後部には、前記クッションフレームと一体の左右一対の腕部２ｂが後上方に延設され、該各腕部２ｂの端部は、回動軸２１にてシートバック３の回動軸３１の上方に回動可能に連結されている。
【００１８】
すなわち、折畳みシート１は、リアレッグ４および可動スライドレール６２を固定節（３１−５２）とし、その両端に、フロントレッグ５の回動節（５２−５１）とシートバック３の回動節（３１−２１）が回動可能に連結され、これらがシートクッション２の揺動節（５１−２１）で連結された４節リンク機構を構成しており、図３に示す着座位置から、シートバック３を矢印ａ、ａ′（図４）のように前方に倒す操作に連動して、シートクッション２を矢印ｂ、ｂ′（図４）のように前下方に移動させ、図４に示すように、シートクッション２″の上にシートバック３″を倒伏させた状態に折畳み可能であるとともに、この折畳み位置から、シートバック３″を後上方に引き起こす操作で、シートクッション２″およびシートバック３″を着座位置に展開可能である。
【００１９】
上記折畳みシート１には、図１に示すように、シートベルト７のタング８を連結するためのバックル１１が設けられている。バックル１１は、図２に示すように、先端部１１ａにシートベルト７のタング８との嵌合孔を有し、その内部に前記タング８を係脱可能に連結するための図示しないラッチ機構を備えるとともに、前記嵌合孔に隣接して前記ラッチ機構を解除するための解除ボタン１１ｂが設けられている。そして、バックル１１は、その基部１１ｃにおいてウェビング１３でアンカープレート１２と連結され、さらに、バックル１１の基部１１ｃからウェビング１３にかけてブーツ１４が装着されている。
【００２０】
ブーツ１４は、バックル１１からウェビング１３にかけての形態を直線状に維持し、かつウェビング１３の捩れを防止するものであり、例えば軟性樹脂（エラストマー）を用いて略筒状に成形され、適度な保形性を有している。図示例のブーツ１４は、装着状態でアンカープレート１２との間にウェビング１３が露出する区間、すなわちブーツ非存在区間１４ａが存在するような長さに設定されているが、後述するフレーム４１が他の位置に配設される場合には、このようなブーツ非存在区間１４ａを設けずに、アンカープレート１２の先端部までブーツ１４で被覆されても良い。
【００２１】
ブーツ１４は、ウェビング１３によりバックル１１とアンカープレート１２を連結した後、アンカープレート１２側からウェビング１３をブーツ１４に挿通し、ブーツ１４の先端部をバックル基部１１ｃに被着した状態で、基端側の固定箇所１４ｂにおいてウェビング１３に対し縫着等の手段で固定されることで、アンカープレート１２、ウェビング１３と共にバックル１１の組立体を構成している。
【００２２】
アンカープレート１２は、基部に取付け孔１２ａが穿設され、先端部にウェビング１３を連結するための長孔１２ｂが設けられており、上記バックル１１の組立体の状態で、図１および図３に示すように、取付け孔１２ａにおいて一方のリアレッグ４にボルトなどで揺動可能に取付けられている。図示例では、フレーム４１によってアンカープレート１２の揺動範囲が制限されているが、ブーツ非存在区間１４ａにおけるウェビング１３の撓曲により、バックル１１はさらに揺動可能となっている。
【００２３】
一方、図１に示すように、シートクッション２の後部の一側には、上記バックル１１を挿通するスリット２０が形成されている。スリット２０は、着座した乗員に対してシートベルト７に捩れを生じないようにバックル１１を保持するとともに、後述するシート折畳み時のバックル１１の揺動方向に対応して、シートクッション２の前後方向に配向されており、クッションパッドに対しては後方および上下に貫通する切欠部として形成され、該切欠部の内側面までシートクッション２の表皮材で覆われている。
【００２４】
スリット２０のシート前方側の内面は、斜上前方に向かうバックル１１の傾斜に対応して上方に向けて拡開する傾斜を有している。また、スリット２０の下端部における両内側面の間隔を狭窄させ、バックル１１が下方に脱出しないように構成しても良く、その場合、スリット２０は、着座面側から凹陥した凹部の内底部に、該内底部を上下に貫通するスリットが形成されている構成であっても良い。
【００２５】
さらに、図１および図５に示すように、上記スリット２０の両側部は、バックル１１の挿通位置よりシート後方側において連結部材２２で連結されている。連結部材２２は、シートクッション２の表皮材と同じシート材（織布、合成皮革など）で構成され、シートクッション２の表皮材の縫製時に同時に縫着される。
【００２６】
図５に示す例では、連結部材２２は、シートクッション２の厚さ方向（スリット２０の深さ方向）に配向されたシート材（布片）で構成されるとともに、幅方向の中間部に下縁から上方に延びる切込み部２２ａ（または切欠部２２ｂ、図７）が設けられている。この構成により、連結部材２２の縫着部を長くして該縫着部への応力集中を緩和しつつ、スリット２０の上端付近に連結部材２２の実質的な支持部を配置することができる。
【００２７】
上記のように構成されたスリット２０に、バックル１１が挿通されることで、図１および図３に示す折畳みシート１の着座位置では、先端部１１ａ（操作面）が上向きの状態に保持されており、タング８の連結によるシートベルト７の装着や解除ボタン１１ｂによる解除操作を容易に行うことができる。
【００２８】
バックル１１は、ブーツ非存在区間１４ａの分だけスリット２０内に沈み込ませることもできるが、バックル１１の厚さよりウェビング１３区間におけるブーツ１４の厚さが小さいことと、スリット２０の下端部が上端部に比べて狭くなっていることにより、自然状態では、スリット２０内面におけるクッション材の弾力性によってバックル１１がスリット２０の上方に迫り出している。
【００２９】
このような着座位置から、シート１の折畳み操作を行うと、図４に示すように、回動軸３１を中心にシートバック３を前方に倒す操作に連動してシートクッション２が前下方に沈み込むように移動する。これに伴い、スリット２０内に保持されたバックル１１は、取付け孔１２ａを中心としたアンカープレート１２の回動によりスリット２０とともに前方に揺動し、フレーム４１によりアンカープレート１２の回動が規制された後には、連結部材２２′でバックル１１′が押されることにより、ブーツ非存在区間１４ａにおけるウェビング１３′がフレーム４１に沿って曲がり、バックル１１′がスリット２０内でさらに揺動し、シート１の折畳み状態では、バックル１１″が折畳まれたシートクッション２″のスリット２０″内に横倒し状態で収容される。
【００３０】
このように、バックル１１が連結部材２２で押されることで、スリット２０の後部からの脱落が防止されることは勿論、スリット２０″内に収容されたバックル１１″が前倒しされたシートバック３″に押し付けられることがなく、シートバック３″の表面にバックル痕がつくのが防止される。
【００３１】
シート１を折畳み位置から通常の着座位置に戻す場合には、バックル１１″が、シートクッション２″、２′の移動によりスリット２０内で起こされ、図１および図３、５に示すように操作面（先端部１１ａ）を上向きにしてスリット２０内で保持される状態に復元される。この過程で、スリット２０内面の傾斜はバックル１１″をスリット２０から突出させかつ上向きに偏向させる案内面として機能する。
【００３２】
以上、本発明の実施の形態について述べたが、本発明は上記実施形態に限定されるものではなく、本発明の技術的思想に基づいて各種の変形および変更が可能である。
【００３３】
例えば、上記実施形態では、連結部材２２が、シートクッション２の表皮材と同じシート材で構成される場合について述べたが、連結部材２２は、シートクッション２やシートバック３に用いられるクッション材（ウレタンフォームのモールド品）や樹脂シートなど他のシート材やバンド、テープなどで構成されても良い。
【００３４】
また、上記実施形態では、アンカープレート１２の近傍にブーツ非存在区間１４ａを設ける場合を示したが、フレーム４１が他の位置に配設されるか省略されて、アンカープレート１２の揺動範囲が確保されている場合には、ブーツ１４によってバックル１１の基部１１ｃからアンカープレート１２の先端部まで被覆され、バックル１１の組立体の形態が直線状に維持される構造とすることもできる。
【００３５】
さらに、上記実施形態では、折畳みシート１がスライド機構６を介して車体側に取り付けられる場合を示したが、折畳みシート１がスライド機構６を介さずに車体側に取り付けられる場合にも実施可能であり、その場合、アンカープレート１２は直接車体側に固定されても良い。また、本発明の折畳みシート１は、４節リンク機構による折畳みシート以外の折畳み形式にも実施可能である。
【図面の簡単な説明】
【００３６】
【図１】本発明実施形態に係わる折畳みシートの概要を示す斜視図である。
【図２】シートベルトバックルを示す側面図である。
【図３】本発明実施形態に係わる折畳みシートの着座位置を示す側面図である。
【図４】本発明実施形態に係わる折畳みシートの折畳み操作を示す側面図である。
【図５】本発明実施形態に係わる折畳みシートの着座位置におけるバックル付近を示す要部斜視図である。
【図６】本発明実施形態に係わる折畳みシートの折畳み操作時におけるバックル付近を示す要部斜視図である。
【図７】連結部材の実施例を示す斜視図である。
【符号の説明】
【００３７】
１  折畳みシート
２  シートクッション
３  シートバック
４  リアレッグ
５  フロントレッグ
６  スライド機構
７  シートベルト
８  タング
１１  バックル
１２  アンカープレート
１３  ウェビング
１４  ブーツ
２０  スリット
２２  連結部材
２２ａ  切込み部
【図１】
2010023651.tif 000003
【図２】
2010023651.tif 000004
【図３】
2010023651.tif 000005
【図４】
2010023651.tif 000006
【図５】
2010023651.tif 000007
【図６】
2010023651.tif 000008
【図７】
2010023651.tif 000009